(57)【要約】  本発明の実施例は、通信技術の分野に関し、かつルートコンフィギュレーションのインプリメンテーション方法及びルーティングデバイスを開示する。これは、ルートコンフィギュレーションを完了させ、ユーザの利便性を向上させるために、小さい画面の端末のための適切なパラメータコンフィギュレーションページを提供するよう利用される。ルートコンフィギュレーションのインプリメンテーション方法は、ブラウザに入力されたアドレスがローカルアドレスであることが検出された場合、ルーティングデバイスに接続されたディスプレイのタイプを分析するステップと；前記ディスプレイが第１のタイプのディスプレイである場合、予め格納された単純化されたページを前記ブラウザに表示するために提供するステップと；を有し、前記予め格納された単純化されたページは、ルートコンフィギュレーションページを含み、かつ、前記ブラウザのページは前記ディスプレイで表示され、かつ、前記単純化されたページは前記第１のタイプの前記ディスプレイの前記画面に整合するために通常のページより小さく、前記第１のタイプの前記ディスプレイの前記画面の解像度は、通常の画面のそれより低い。本発明の前記実施例によって提供される解決策は、いかなるルーティングデバイスにも適用できる。
2013515986.tif 000002
【特許請求の範囲】
【請求項１】
ルートコンフィギュレーションのインプリメンテーション方法であって：
ブラウザに入力されたアドレスがローカルで構成されたアドレスであることが検出された場合、ルーティングデバイスに接続されたディスプレイのタイプを分析するステップと；
前記ディスプレイが第１のタイプのディスプレイである場合、予め格納された単純化されたページを前記ブラウザに表示するために提供するステップであって、前記予め格納された単純化されたページは、ルートコンフィギュレーションページを含む、ステップと；
を有し、
前記ブラウザのページは前記ディスプレイに表示され、かつ前記単純化されたページは前記第１のタイプの前記ディスプレイの画面に整合するために通常のページより小さく、前記第１のタイプの前記ディスプレイの前記画面の解像度は、通常の画面のそれより低い、
方法。
【請求項２】
請求項１に記載のルートコンフィギュレーションのインプリメンテーション方法であって：
前記ディスプレイが第２のタイプのディスプレイである場合、予め格納された通常のページを前記ブラウザに表示するために提供するステップ、
を更に有する方法。
【請求項３】
請求項１又は２に記載のルートコンフィギュレーションのインプリメンテーション方法であって、前記ルーティングデバイスに接続されたディスプレイのタイプを分析するステップは：
前記ルーティングデバイスに接続される前記ディスプレイの画面解像度を取得するステップであって、前記画面解像度が予め設定された解像度より低い場合、前記ディスプレイは、前記第１のタイプの前記ディスプレイであり、それ以外の場合には、前記ディスプレイは、第２のタイプのディスプレイである、ステップ；
又は、
前記ルーティングデバイスに接続された前記ディスプレイのハードウェアプラットフォーム情報を取得し、かつ前記ハードウェアプラットフォーム情報を予め格納された小さい画面のディスプレイ情報セットと比較するステップであって、前記ハードウェアプラットフォーム情報が前記予め格納された小さい画面の情報セットに属する場合、前記ディスプレイは、前記第１のタイプの前記ディスプレイであり、それ以外の場合、前記ディスプレイは、第２のタイプのディスプレイである、ステップ；
を含む方法。
【請求項４】
請求項３に記載のルートコンフィギュレーションのインプリメンテーション方法であって、前記予め設定された解像度は、４８０×３２０ピクセルである方法。
【請求項５】
請求項１又は２に記載のルートコンフィギュレーションのインプリメンテーション方法であって、前記ルーティングデバイスに接続されたディスプレイのタイプを分析するステップの前に、当該方法は；
前記通常のページ及び前記単純化されたページを格納するステップであって、前記通常のページ及び前記単純化されたページの両者は、ルートコンフィギュレーションページを有し、かつ前記単純化されたページは、前記通常のページより少ないコンテンツを表示するステップ、
を更に有する方法。
【請求項６】
請求項１に記載のルートコンフィギュレーションのインプリメンテーション方法であって、前記単純化されたページは；ＰＩＮ確認ページ、トラフィック計測ページ、ショートメッセージ・ページ、及びＷＩＦＩパスワード変更ページ、のうちの一つ以上のアイテムの組合せを更に有する方法。
【請求項７】
ルーティングデバイスであって：
ブラウザで入力されたアドレスが、ローカルで構成されたアドレスであるか否かを検出するように構成される、検出モジュールと；
前記検出モジュールが、前記ブラウザに入力された前記アドレスがローカルで構成されたアドレスであることを検出した場合、前記ルーティングデバイスに接続されたディスプレイのタイプを分析するように構成された、分析モジュールと；
前記分析モジュールが、分析によって、前記ディスプレイが第１のタイプのディスプレイであることを発見した場合、予め格納された単純化されたページを前記ブラウザに表示するために提供するよう構成された単純化モジュールであって、前記予め格納された単純化されたページは、ルートコンフィギュレーションページ、を含む、単純化モジュールと；
を有し、
前記ブラウザのページは前記ディスプレイで表示され、かつ、前記単純化されたページは前記第１のタイプの前記ディスプレイの画面に整合するために通常のページより小さく、前記第１のタイプの前記ディスプレイの前記画面の解像度は、通常の画面のそれより低い、
ルーティングデバイス。
【請求項８】
請求項７に記載のルーティングデバイスであって；
前記分析モジュールが分析によって、前記ディスプレイが第２のタイプのディスプレイであることを発見した場合、予め格納された通常のページを、前記ブラウザに表示するために提供するように構成された、通常表示モジュール、を更に有するルーティングデバイス。
【請求項９】
請求項７、又は８に記載のルーティングデバイスであって：
前記分析モジュールは、前記ルーティングデバイスに接続された前記ディスプレイの画面解像度を取得するように構成され、前記画面解像度が予め設定された解像度よりも低い場合、前記ディスプレイは、前記第１のタイプの前記ディスプレイであり、それ以外の場合は、前記ディスプレイは、第２のタイプのディスプレイであり；
又は、
前記分析モジュールは、前記ルーティングデバイスに接続された前記ディスプレイのハードウェアプラットフォーム情報を取得し、かつ前記ハードウェアプラットフォーム情報を予め格納された小さい画面のディスプレイ情報セットと比較するように構成され、前記ハードウェアプラットフォーム情報が前記予め格納された小さい画面ディスプレイ情報セットに属する場合、前記ディスプレイは、前記第１のタイプの前記ディスプレイであり、それ以外の場合は、前記ディスプレイは、第２のタイプのディスプレイである、
ルーティングデバイス。
【請求項１０】
請求項７、又は８に記載のルーティングデバイスであって：
前記通常のページ及び前記単純化されたページを格納するように構成された、格納モジュールであって、前記通常のページ及び前記単純化されたページの両者は、ルートコンフィギュレーションページを有し、前記単純化されたページは、前記通常のページより少ないコンテンツを表示する、格納モジュール、を更に有する、ルーティングデバイス。
【発明の詳細な説明】
【技術分野】
【０００１】
本発明は通信技術に関し、より詳細には、ルートコンフィギュレーションのインプリメンテーション方法及びルーティングデバイスの分野に関する。
【背景技術】
【０００２】
この出願は中国の特許出願番号２００９１０２６１６９１．Ｘとして２００９年１２月２４日に中国専利局に「ルートコンフィギュレーションのインプリメンテーション方法及びルーティングデバイス」の発明の名称で提出した出願の優先権を主張し、その内容は参照され本出願に組み込まれる。
【０００３】
現在、ネットワークのコンフィギュレーション（構成）の方法において、通常、ルーターコンフィギュレーションの方法として、ウェブ管理の方法が使用され、ブラウザによるルートコンフィギュレーションが実行される。ユーザ端末がイーサネット(登録商標)接続、又は、ＷＩＦＩ（Ｗｉｒｅｌｅｓｓ  Ｆｉｄｅｌｉｔｙ）接続を確立したあと、特別なＩＰアドレスがユーザ端末から入力され得る。これによって、ルートコンフィギュレーションページが参照される。
【０００４】
従来技術において、最も典型的なルートコンフィギュレーションは、ＰＣ（パーソナル・コンピューター、パソコン）によって実行される。具体的には、（例えばイーサネット、又は、無線ＬＡＮを通じて）物理コネクションがＰＣ及びルータの間で確立されたあと、固定されたプライベートネットワークアドレス（例えば１９２．１６８．１．１）がＰＣのブラウザのアドレスバーに入力される。そして、ブラウザに、図１のページ又はこれに類似したパラメータコンフィギュレーションページが表示され、ルーティング・パラメータを構成（コンフィギュレーション）するために、ユーザに提示される。上記のような通常のページの表示は、ＰＣの表示の解像度が少なくとも８００×６００であることが一般に必要である。図１に示すように、このタイプのパラメータコンフィギュレーションページは、多くの内容を表示でき、整然としたページフォーマットによって、多くのパラメータに関連する。
【０００５】
３Ｇ（第三世代通信）技術の開発によって、電池で作動する携帯型３Ｇルータが出現してきている。このような３Ｇルータは、多くのハンドヘルドＷＩＦＩデバイスに用いられる。例えば、ＷＩＦＩ機能を有する携帯電話、ＰＳＰ（登録商標、プレーステーションポータブル；ソニーにより開発された新たな多機能ポータブルプレーステーション）、ｉＴｏｕｃｈ（登録商標、アップルによって開発されたＭＰ４プレーヤ）が挙げられる。確かに、このハンドヘルドＷＩＦＩデバイスが、３Ｇルータを介してＷＩＦＩ接続を確立する場合、ルートコンフィギュレーションが同様に必要である。
【発明の概要】
【発明が解決しようとする課題】
【０００６】
ルートコンフィギュレーションのインプリメンテーションにおいて、発明者は、従来技術には少なくとも以下の課題があることを見出した。
【０００７】
多くの携帯ＷＩＦＩデバイスがブラウザをサポートするが、携帯ＷＩＦＩデバイスのＬＣＤ（液晶ディスプレイ）が一般的に小さいため、ＰＣに通常表示されることができる多くのパラメータコンフィギュレーションページはＷＩＦＩ携帯デバイスには、混み合ったものとなる。これは、ユーザがページを見ること、及びルートコンフィギュレーションを行うことを困難にする。
【課題を解決するための手段】
【０００８】
本発明の実施例はルートコンフィギュレーションのインプリメンテーション方法及びルーティングデバイスを提供する。これはユーザによる利用を改善するよう、ルートコンフィギュレーションを完了するために適切なパラメータコンフィギュレーションページをターミナルの小さい画面に提供するために使用される。
【０００９】
上記の目的のために、本発明の実施例は、以下の技術的な解決策を採用する。
【００１０】
ブラウザに入力されたアドレスがローカルで構成されたアドレスであることが検出された場合、ルーティングデバイスに接続されたディスプレイのタイプを分析するステップと；
前記ディスプレイが第１のタイプのディスプレイである場合、予め格納された単純化されたページを前記ブラウザに表示するために提供するステップであって、前記予め格納された単純化されたページは、ルートコンフィギュレーションページを含む、ステップと；
を有し、
前記ブラウザのページは前記ディスプレイに表示され、かつ前記単純化されたページは前記第１のタイプの前記ディスプレイの画面に整合するために通常のページより小さく、前記第１のタイプの前記ディスプレイの前記画面の前記解像度は、通常の画面のそれより低い方法が提供される。
【００１１】
ルーティングデバイスであって：
ブラウザで入力されたアドレスが、ローカルで構成されたアドレスであるか否かを検出するように構成される、検出モジュールと；
前記検出モジュールが、前記ブラウザに入力された前記アドレスがローカルで構成されたアドレスであることを検出した場合、前記ルーティングデバイスに接続されたディスプレイのタイプを分析するように構成された、分析モジュールと
前記分析モジュールが、分析によって、前記ディスプレイが第１のタイプのディスプレイであることを発見した場合、予め格納された単純化されたページを前記ブラウザに表示するために提供するよう構成された単純化モジュールであって、前記予め格納された単純化されたページは、ルートコンフィギュレーションページ、を含む、単純化モジュールと；
を有し、
前記ブラウザのページは前記ディスプレイで表示され、かつ、前記単純化されたページは前記第１のタイプの前記ディスプレイの画面に整合するために通常のページより小さく、前記第１のタイプの前記ディスプレイの前記画面の解像度は、通常の画面のそれより低い、
ルーティングデバイスが提供される。
【００１２】
本発明の実施例によって提供されるルートコンフィギュレーションのインプリメンテーション方法及びルーティングデバイスによれば、特定のルーティングデバイスに対して、ルーティングデバイスに接続されるディスプレイが第１のタイプのディスプレイであると判断される場合であって、ルートコンフィギュレーションがディスプレイを利用して実行される場合、ルートコンフィギュレーションプロセスを完了するために、ルーティングデバイスは第１のタイプのディスプレイに適している単純化されたページのセットを第１のタイプのディスプレイに提供する。単純化されたページのサイズが通常のページのそれより小さいので、単純化されたページは、通常の画面より解像度が低い第１のタイプのディスプレイに適応できる。従来技術と比較すると、視覚的効果が向上され、ユーザに対する利便性が改善され得る。
【００１３】
本発明の実施例の技術的解決又は従来技術をより明確に説明するために、本発明の実施例の技術的解決又は従来技術の説明に必要な添付の図面の簡単な説明を以下に記載する。言うまでもなく、添付の図面は、本発明の幾つかの実施例を単に説明するためのものであり、当業者は、創造的努力無しに、添付の図面から、他の図面を導出することができる。
【図面の簡単な説明】
【００１４】
【図１】従来技術におけるルートコンフィギュレーションのための通常のページを示す図である。
【図２】本発明の実施例１によるルートコンフィギュレーションインプリメンテーション方法のフローチャートを示す図である。
【図３】本発明の実施例１によるルーティングデバイスの模式的な構造図である。
【図４】本発明の実施例２によるルートコンフィギュレーションインプリメンテーション方法のフローチャートである。
【図５】本発明の方法の実施例２によって提供される単純化されたページの実施例である。
【図６】本発明の実施例３によるルーティングデバイスの模式的な構造図である。
【発明を実施するための形態】
【００１５】
本発明の実施例の技術的な解決策は、添付の図面を参照しながら、以下に明らかにかつ明確に記載されている。言うまでもなく、本願明細書における実施例は、本発明の実施例の全てではなく部分を示している。本願明細書の実施例に基づいて、当業者は、他の実施例を、創造的努力無しに得ることができる。そして、その実施例は、本発明の保護範囲に属する。
【００１６】
本発明の実施例によって提供されるルートコンフィギュレーションのインプリメンテーション方法及びルーティングデバイスは、添付の図面によって詳細に記載されている。
【実施例】
【００１７】
実施例１
図２に示すように、実施例によって提供されるルートコンフィギュレーションインプリメンテーション方法は、以下を含む。
【００１８】
ステップ２０１
ブラウザに入力されるアドレスがローカルに構成されたアドレス（ローカルアドレス）であることが検出された場合、ルーティングデバイスに接続される、ブラウザのページが表示されるべきディスプレイのタイプを分析する。
【００１９】
本実施例において、ディスプレイは、それらの画面解像度、又は、画面サイズに従って第１のタイプのディスプレイ及び第２のタイプのディスプレイに分類される。ここにおいて、画面サイズ、又は、画面解像度に関して、第１のタイプのディスプレイは、第２のタイプのディスプレイより小さい。以下の実施例の説明において、第１のタイプのディスプレイは、小さい画面のディスプレイであり、第２のタイプのディスプレイは、大きい画面のディスプレイであるとして記載されている。
【００２０】
日常生活において使用されるディスプレイが通常第２のタイプのディスプレイであり、大きい画面のディスプレイの画面は、大画面、又は、通常の画面と呼ばれていてもよい。
【００２１】
通常、ユーザがブラウザのアドレスバーにアドレス１９２．１６８．１．１、又は、１９２．１６８．０．１を入力する場合、それは現在のユーザがルートコンフィギュレーションを実行することを示す。それから、ルーティングデバイスは、ディスプレイが大きい画面、又は、小さい画面であるかどうか判断するためにルーティングデバイスに接続されるディスプレイのタイプを分析することを必要とする。
【００２２】
異なるルーティングデバイスに対して、提供されたパラメータコンフィギュレーションページのサイズは異なり、かつ異なるルーティングデバイス・プロバイダは大きい画面及び小さい画面について異なる定義を有する。本実施例において、ディスプレイのタイプは、以下の２つの方法によって判断することができる
（１）  現在ルーティングデバイスに接続されるディスプレイの画面解像度を取得する。画面解像度が予め設定された解像度より低い場合、ディスプレイは小さい画面のディスプレイである。それ以外の場合は、ディスプレイは、大きい画面のディスプレイである。
【００２３】
予め設定された解像度は、４８０×３２０ピクセルとするが、これに限られるものではない。異なるルーティングデバイスに対する予め設定された解像度は異なる。
【００２４】
（２）  現在ルーティングデバイスに接続されるディスプレイのハードウェアプラットフォーム情報を取得する。ハードウェアプラットフォーム情報を予め格納された小さい画面のディスプレイ情報セットと比較する。ハードウェアプラットフォーム情報が予め格納された小さい画面のディスプレイ情報セットに属する場合、ディスプレイは小さい画面のディスプレイである。それ以外の場合には、ディスプレイは、大きい画面のディスプレイである。
【００２５】
予め格納された小さい画面のディスプレイ情報セットに含まれる情報は、ディスプレイが属するデバイスのモデルに限られるわけではない。例えば、ルーティングデバイスに現在接続されたディスプレイがＷＩＦＩ機能（例えばノキアＥ５５）を有する携帯電話に属し、かつこの携帯電話の情報がルーティングデバイスによって予め格納された小さい画面のディスプレイ情報セットに記録されるルーティングデバイスであると検出される場合、ルーティングデバイスに現在接続されたディスプレイが小さい画面のディスプレイであると判断されてもよい。
【００２６】
技術の発展によって、より小さいディスプレイ、又は小さいディスプレイに依存する端末が出現している。これらの情報の全てがルーティングデバイスに記録されるとすると、より大きい空間を必要とし、かつ、比較に長い時間がかかる。
【００２７】
したがって、第１の方法は、現在ルーティングデバイスに接続されているディスプレイのタイプを判断することがのぞましい。
【００２８】
ステップ２０２
ディスプレイが小さい画面のディスプレイである場合、表示するために予め格納された単純化されたページをブラウザに提供する。予め格納された単純化されたページは、以下を含む。
【００２９】
現在ルーティングデバイスに接続されているディスプレイが、小さい画面のディスプレイである場合、例えば、携帯電話、ＰＳＰ（登録商標）、又はｉＴｏｕｃｈ（登録商標）などのハンドヘルド端末のＬＣ画面である場合、ルーティングデバイスは、ユーザがルートコンフィギュレーションを実行するために、ブラウザに表示する単純化されたページのセットを提供する。
【００３０】
これに対して、現在ルーティングデバイスに接続されているディスプレイが、例えば、ＰＣのディスプレイのような大きい画面のディスプレイである場合、ルーティングデバイスは、ユーザがルートコンフィギュレーションを実行するために、ブラウザに表示する通常のページのセットを提供する。
【００３１】
単純化されたページを小さい画面のディスプレイによりよく適応させるために、単純化されたページは、サイズに関して通常のページより小さいだけでなく、また、通常のページより少ないコンテンツを含む。例えば、ファイアウォール設定のような拡張機能設定は、単純化されたページには表示されない。
【００３２】
上記ステップを実行する機器は、いかなるルーティングデバイスであってもよく、特に、３Ｇ機能をサポートするルーティングデバイスであってもよい。
【００３３】
ルートコンフィギュレーションのインプリメンテーション方法に対応して、実施例はまた、方法をインプリメントするルーティングデバイスを提供する。図３に示すように、ルーティングデバイスは、
ブラウザで入力されたアドレスが、ローカルで構成されたアドレスであるか否かを検出するように構成される、検出モジュール３１と；
前記検出モジュールが、前記ブラウザに入力された前記アドレスがローカルで構成されたアドレスであることを検出した場合、前記ルーティングデバイスに接続されたディスプレイのタイプを分析するように構成された、分析モジュール３２と；
前記分析モジュールが、分析によって、前記ディスプレイが第１のタイプのディスプレイであることを発見した場合、予め格納された単純化されたページを前記ブラウザに表示するために提供するよう構成された単純化モジュールであって、前記予め格納された単純化されたページは、ルートコンフィギュレーションページ、を含む、単純化モジュール３３と；を有する。
【００３４】
前記ブラウザのページは前記ディスプレイで表示され、かつ、前記単純化されたページは前記第１のタイプの前記ディスプレイの画面に整合するために通常のページより小さく、前記第１のタイプの前記ディスプレイの前記画面の解像度は、通常の画面のそれより低い。ここにおける通常の画面は、大きい画面のディスプレイである。
【００３５】
実施例によって提供されるルートコンフィギュレーションのインプリメンテーション方法及びルーティングデバイスによれば、特定のルーティングデバイスに関して、ルーティングデバイスに接続されるディスプレイが小さい画面のディスプレイであると判断される場合、ルートコンフィギュレーションが小さい画面のディスプレイで実行され、ルーティングデバイスはルートコンフィギュレーションプロセスを完了するために単純化されたページのセットを小さい画面のディスプレイに提供する。単純化されたページのサイズは、通常のページのそれより小さいので、単純化されたページは、小さい画面のディスプレイによりよく適応できる。これによって、視覚的効果を改善し、かつユーザの利便性を向上させ得る。
【００３６】
実施例２
本明細書に開示される完全な実施例に従って、本発明の実施例によって提供されるルートコンフィギュレーションのインプリメンテーション方法が、以下に示される。本実施例において、好ましくは、ディスプレイのタイプは、解像度を予め設定することによって区別される。
【００３７】
図４に示すように、実施例によって提供されるルートコンフィギュレーションのインプリメンテーション方法は、特に以下のステップを含む。
【００３８】
ステップ４０１
ルーティングデバイスにおいて、パラメータコンフィギュレーションのための通常のページのセット及び単純化されたページのセットを予め格納する。
【００３９】
ルーティングデバイスは、従来のルータ、又は、３Ｇルータであってもよい。
【００４０】
通常のページは、従来のルートコンフィギュレーションプロセスにおいて適用されるウェブ・ページであり、基本的ルートコンフィギュレーションページに加えて、一部の高度なコンフィギュレーションページ（例えばファイアウォール・パラメータコンフィギュレーションページ）を含む。
【００４１】
単純化されたページは、より少ないコンテンツを表示してもよい。ここで、ファイアウォール機能のような拡張機能に対応するコンフィギュレーションページは含まれず、かつ、ルートコンフィギュレーションページのような基本的機能のコンフィギュレーションページだけが用意されている。
【００４２】
ステップ４０２
イーサネット、ＷＩＦＩ、又は、ＵＳＢ（汎用シリアルバス）でユーザ端末及びルーティングデバイス間の接続を確立する。
【００４３】
ユーザ端末は、ブラウザ機能をサポートしなければならず、かつ、ＰＣ、又は携帯デバイス（例えばＷＩＦＩ機能、ＰＳＰ、又は、ｉＴｏｕｃｈを有する携帯電話）であってもよい。
【００４４】
ステップ４０３
ユーザはユーザ端末の表示に示されるブラウザのアドレスバーにＩＰ（インターネット・プロトコル）アドレスを入力し、かつブラウザはＩＰアドレスをＨＴＴＰ（ハイパーテキスト転送プロトコル）を介してルーティングデバイスへ転送する。
【００４５】
ステップ４０４
ＩＰアドレスを受信した後に、ルーティングデバイスは、ＩＰアドレスを解析し、かつＩＰアドレスがローカルアドレスであるかどうか判断する。
【００４６】
判断の結果、ＩＰアドレスがローカルアドレスである場合、ステップ４０５が実行される。そして、判断の結果、ＩＰアドレスがローカルアドレスでない場合、ステップ４０８が実行される。
【００４７】
ステップ４０５
ブラウザに入力されたＩＰアドレスがローカルアドレスである場合、ルーティングデバイスは現在接続されたディスプレイの画面解像度を分析し、かつ表示の画面解像度が予め設定された解像度と等しいか、又は大きいか否かを判断する。
【００４８】
本実施例において、予め設定された解像度は４８０×３２０ピクセルである。しかしながら、予め設定された解像度は、異なるルーティングデバイスによってサービスを提供される異なるオブジェクトに従って、セットされてもよい。ディスプレイの画面解像度が４８０×３２０ピクセルより高い場合、ステップ４０６が実行される。そして、ディスプレイの画面解像度が４８０×３２０ピクセルより低い場合、ステップ４０７が実行される。
【００４９】
ステップ４０６
ルーティングデバイスは、表示のために、予め格納された通常のページをブラウザに提供する。
【００５０】
具体的には、ルーティングデバイスは、ブラウザに通常のページに対応するパラメータを提供する。パラメータは、例えばウェブ・ページによって表示されるウェブ・ページ・アイコンイメージ及びテキスト及びそれらの表示位置情報、ウェブ・ページ・ボタンの位置及びパターン、及びコンフィギュレーションが必要なパラメータ項目に関する情報を含む。
【００５１】
情報を取得した後に、ブラウザは情報を解析し、かつ、解析によって取得されたウェブ・ページをブラウザに示す。その結果、ユーザはページに表示されるコンテンツに従ってパラメータコンフィギュレーションを実行する。
【００５２】
ステップ４０７
ルーティングデバイスは、表示のための予め格納された単純化されたページをブラウザに提供する。
【００５３】
具体的には、ルーティングデバイスは、ブラウザに単純化されたページに対応するパラメータを提供する。そして、対応するパラメータを取得した後に、ブラウザはパラメータを解析し、かつ、ブラウザに、解析によって取得されるウェブ・ページを示す。その結果、ユーザはページに表示されるコンテンツに従ってパラメータコンフィギュレーションを実行する。
【００５４】
前述の説明から分かるように、単純化されたページは通常のページより少ないコンテンツを含み、かつ拡張機能コンフィギュレーションのコンテンツを排除する。例えばルートコンフィギュレーションページのような、ユーザに最もしばしば利用される基本的なコンフィギュレーションだけを用意する。加えて、単純化されたページは、ＰＩＮ（個人識別番号）確認ページ、トラフィック計測ページ、ショートメッセージ・ページ及びＷＩＦＩパスワード変更態様ページのような、基本的コンフィギュレーション機能の一つ以上のアイテムの組合せを更に含んでもよい。
【００５５】
なお、単純化されたページをよりよく小さい画面のディスプレイ（６００×８００ピクセルより低い解像度）にマッチさせ、小さい画面のディスプレイの表示効果を向上させるために、ブラウザに対してルーティングデバイスによって提供される単純化されたページは、表示されるべきコンテンツの、アイコン、テキスト、フォーマット、レイアウト等の全てが調整される。
【００５６】
図５は、実施例のルーティングデバイスによって提供される単純化されたページの例である。図１に示される通常のページと比較して、簡略化されたホームページは、非常により少ないアイコン及びテキストを含み、かつクイックセットアップ及びショート・メッセージ・サービス（ＳＭＳ）の２つの機能に対応するリンク・ボタンだけを確保する。示されるコンテンツ及びレイアウトが単純化される。簡略化されたホームページにおける、対応するルートコンフィギュレーションページ、又は、ＳＭＳ機能ページは、異なるボタンをクリックすることによって動作してもよい。図５において示されるページは、単純な例である。簡略化されたホームページに、ＰＩＮ確認及びトラフィック計測のような機能に対応するボタンが、異なる機能に対応するページを呼び出すためにセットされてもよい。
【００５７】
ステップ４０８
ブラウザに入力されるＩＰアドレスがローカルアドレスでない場合は、外部ネットワークにアクセスするために、ＩＰアドレスに従って、インターネットに接続する。
【００５８】
前述のステップの順序番号は、それらの実行の順序を限定するために使用されるものではない。
【００５９】
更に、通常のページ及び単純化されたページの記憶がルーティングデバイスにおいて完了した後は、ルートコンフィギュレーションが実行されるたびに、ステップ４０１を実行する必要はない。すなわち、次のルートコンフィギュレーションプロセスでは、ステップ４０２〜４０８だけが実行されることを必要とし、かつステップ４０１に予め格納される通常のページ、又は、単純化されたページが直接読み込まれてもよい。
【００６０】
実施例によって提供されるルートコンフィギュレーションのインプリメンテーション方法において、同じルーティングデバイスに関して、ユーザがルートコンフィギュレーションを実行すると決定された場合、ルーティングデバイスに現在接続されるディスプレイの画面解像度がまず分析され、適切なページがディスプレイの画面サイズに従って最適にディスプレイに提供される。すなわち、ディスプレイの画面が大きい画面である場合、通常のページがディスプレイに提供される。それ以外の場合、単純化されたページが、ディスプレイに提供される。このようにして、どのような画面がユーザに用いられても、ルートコンフィギュレーションのような基本機能が、整然としたウェブ・ページによって実行され得る。小さい画面を有するハンドヘルド端末のために、特に、実施例によって提供される方法は、表示されるウェブの視覚的効果を改善し、かつユーザの利便性を高める。
【００６１】
実施例３
本発明の実施例２によって提供されるルートコンフィギュレーションのインプリメンテーション方法によって、この実施例は、ルーティングデバイスを提供する。
【００６２】
図６に示すように、実施例のルーティングデバイスは、分析モジュール６１、単純化モジュール６２、通常表示モジュール６３、格納モジュール６４、取得モジュール６５、検出モジュール６６、及び接続モジュール６７を含む。
【００６３】
格納モジュール６４は、通常のページ及びセットの単純化されたページのセットを格納する。ここで、通常のページ及び単純化されたページは、それぞれルートコンフィギュレーションページを含み、単純化されたページは、通常のページより少ないコンテンツを示す。
【００６４】
取得モジュール６５はブラウザに入力されるアドレスの情報を取得し、検出モジュール６６は、入力されたアドレスがローカルアドレスであるかどうか判断する。入力されたアドレスがローカルアドレスである場合、そのアドレスは、ルーティングデバイスに接続されているディスプレイのタイプを分析するために、分析モジュール６１に送信される。入力されたアドレスが非ローカルアドレスである場合、直接外部ネットワークにアクセスするために、接続モジュール６７がインターネットに接続する。
【００６５】
分析モジュール６１の分析の結果が、現在接続されたディスプレイが大きい画面のディスプレイである場合、通常表示モジュール６３が、ブラウザに表示するために通常のページを提供する。ここで、通常のページは、格納モジュール６４に予め格納されている。分析モジュール６１の分析の結果が、現在接続されたディスプレイが小さい画面のディスプレイである場合、単純化モジュール６２が、ブラウザに表示するために単純化されたページを提供する。単純化されたページは、格納モジュール６４に予め格納されている。単純化されたページは、ディスプレイ画面を通常の画面のそれより低い解像度に適合させるために、通常のページより小さい。
【００６６】
分析モジュール６１の典型的な動作は以下の通りである。
【００６７】
前記分析モジュール６１は、前記ルーティングデバイスに接続された前記ディスプレイの画面解像度を取得するように構成され、前記画面解像度が予め設定された解像度（これは、４８０×３２０であってもよいが、これに限定されない）よりも低い場合、前記ディスプレイは、小さい画面のディスプレイであり、それ以外の場合は、前記ディスプレイは、大きい画面のディスプレイである。
【００６８】
前記分析モジュール６１は、前記ルーティングデバイスに接続された前記ディスプレイのハードウェアプラットフォーム情報を取得し、かつ前記ハードウェアプラットフォーム情報を予め格納された小さい画面のディスプレイ情報セットと比較するように構成され、前記ハードウェアプラットフォーム情報が前記予め格納された小さい画面ディスプレイ情報セットに属する場合、前記ディスプレイは、小さい画面の前記ディスプレイであり、それ以外の場合は、前記ディスプレイは、大きい画面のディスプレイである
実施例におけるルーティングデバイスは、ユーザが、ルートコンフィギュレーションを実行すると判断された場合、まずルーティングデバイスに現在接続されるディスプレイのタイプを分析し、かつ、最適に、ディスプレイの画面サイズに従う適切なページを、ディスプレイに提供する。すなわち、ディスプレイの画面が大きい画面である場合、ルーティングデバイスは通常のページをディスプレイに提供し、それ以外の場合には、単純化されたページをディスプレイに提供する。このようにして、どのような画面がユーザに提供されても、ルートコンフィギュレーションのような基本機能が、整然としたウェブ・ページによって実行される。小さい画面のハンドヘルド端末のために、特に、実施例によって提供されるルーティングデバイスは、ウェブ表示の視覚的効果を改善し、かつユーザの利便性を向上させる。
【００６９】
本発明の実施例によって提供される解決策は、良好なコンフィギュレーションアプローチをルーティングデバイス、特に携帯型３Ｇルータに提供する。３Ｇルータは、ＷＩＦＩ携帯デバイス（例えば携帯電話、ＰＳＰ及びｉＴｏｕｃｈ）と共に、通常使用され、この種のＷＩＦＩ携帯デバイスが小型液晶画面を持つため、従来のウェブディスプレイを使用することは非常に不都合である。本発明の実施例において提供される解決策においては、ルーティングデバイスは画面サイズに従って自動的に適切なウェブ・ページを異なる端末に提供し得る。そして、それは異なるＬＣＤの表示形式に従って自動的な適合を達成し、かつユーザに大きい利便性を提供する。
【００７０】
前述の本発明の実施例の説明で、本発明はハードウェアのみによって、又は、ソフトウェアに加えて必要な汎用ハードウェアプラットフォームによって実行することができることを、当業者は理解するであろう。上述の説明に基づいて、ソフトウェア製品の形態によって、従来技術に貢献する本発明の技術的解決の一部又は全部が実施できる。ソフトウェア製品は、読み込み可能な記憶媒体（例えばＲＯＭ／ＲＡＭ、磁気ディスク、又は、光ディスク）に記憶されてもよく、電算機装置（例えばパソコン、サーバ、又は、ネットワーク装置）が本発明の実施例、又は一部の実施例の方法を実行することを可能にする多くの命令を含む。
【００７１】
上述の説明は、本発明の例示的な実施例である。したがって、本発明の保護はこれらに限定されない。本発明において開示される技術的な範囲に該当する、当業者によって直ちに考えられるいかなる変更態様、置換も、本発明の保護範囲に含まれる。したがって、本発明の保護範囲は、添付の請求項によって定まる。
【図１】
2013515986.tif 000003
【図２】
2013515986.tif 000004
【図３】
2013515986.tif 000005
【図４】
2013515986.tif 000006
【図５】
2013515986.tif 000007
【図６】
2013515986.tif 000008
【手続補正書】
【提出日】平成24年7月30日(2012.7.30)
【手続補正１】
【補正対象書類名】特許請求の範囲
【補正対象項目名】全文
【補正方法】変更
【補正の内容】
【特許請求の範囲】
【請求項１】
ルートコンフィギュレーションのインプリメンテーション方法であって：
ブラウザに入力されたアドレスがローカルで構成されたアドレスであることが検出された場合、ルーティングデバイスに接続されたディスプレイのタイプを分析するステップと；
前記ディスプレイが第１のタイプのディスプレイである場合、予め格納された単純化されたページを前記ブラウザに表示するために提供するステップであって、前記予め格納された単純化されたページは、ルートコンフィギュレーションページを含む、ステップと；
を有し、
前記ブラウザのページは前記ディスプレイに表示され、かつ前記単純化されたページは前記第１のタイプの前記ディスプレイの画面に整合するために通常のページより小さく、前記第１のタイプの前記ディスプレイの前記画面の解像度は、通常の画面のそれより低い、
方法。
【請求項２】
請求項１に記載のルートコンフィギュレーションのインプリメンテーション方法であって、前記ルーティングデバイスに接続されたディスプレイのタイプを分析するステップは：
前記ルーティングデバイスに接続される前記ディスプレイの画面解像度を取得するステップであって、前記画面解像度が予め設定された解像度より低い場合、前記ディスプレイは、前記第１のタイプの前記ディスプレイであり、それ以外の場合には、前記ディスプレイは、第２のタイプのディスプレイである、ステップ；
又は、
前記ルーティングデバイスに接続された前記ディスプレイのハードウェアプラットフォーム情報を取得し、かつ前記ハードウェアプラットフォーム情報を予め格納された小さい画面のディスプレイ情報セットと比較するステップであって、前記ハードウェアプラットフォーム情報が前記予め格納された小さい画面の情報セットに属する場合、前記ディスプレイは、前記第１のタイプの前記ディスプレイであり、それ以外の場合、前記ディスプレイは、第２のタイプのディスプレイである、ステップ；
を含む方法。
【請求項３】
請求項２に記載のルートコンフィギュレーションのインプリメンテーション方法であって、前記予め設定された解像度は、４８０×３２０ピクセルである方法。
【請求項４】
請求項１ないし３のうちいずれか１項に記載のルートコンフィギュレーションのインプリメンテーション方法であって：
前記ディスプレイが第２のタイプのディスプレイである場合、予め格納された通常のページを前記ブラウザに表示するために提供するステップ、
を更に有する方法。
【請求項５】
請求項１ないし４のうちいずれか１項に記載のルートコンフィギュレーションのインプリメンテーション方法であって、前記ルーティングデバイスに接続されたディスプレイのタイプを分析するステップの前に、当該方法は；
前記通常のページ及び前記単純化されたページを格納するステップであって、前記通常のページ及び前記単純化されたページの両者は、ルートコンフィギュレーションページを有し、かつ前記単純化されたページは、前記通常のページより少ないコンテンツを表示するステップ、
を更に有する方法。
【請求項６】
請求項１ないし５のうちいずれか１項に記載のルートコンフィギュレーションのインプリメンテーション方法であって、前記単純化されたページは；ＰＩＮ確認ページ、トラフィック計測ページ、ショートメッセージ・ページ、及びＷＩＦＩパスワード変更ページ、のうちの一つ以上のアイテムの組合せを更に有する方法。
【請求項７】
ルーティングデバイスであって：
ブラウザで入力されたアドレスが、ローカルで構成されたアドレスであるか否かを検出するように構成される、検出モジュールと；
前記検出モジュールが、前記ブラウザに入力された前記アドレスがローカルで構成されたアドレスであることを検出した場合、前記ルーティングデバイスに接続されたディスプレイのタイプを分析するように構成された、分析モジュールと；
前記分析モジュールが、分析によって、前記ディスプレイが第１のタイプのディスプレイであることを発見した場合、予め格納された単純化されたページを前記ブラウザに表示するために提供するよう構成された単純化モジュールであって、前記予め格納された単純化されたページは、ルートコンフィギュレーションページ、を含む、単純化モジュールと；
を有し、
前記ブラウザのページは前記ディスプレイで表示され、かつ、前記単純化されたページは前記第１のタイプの前記ディスプレイの画面に整合するために通常のページより小さく、前記第１のタイプの前記ディスプレイの前記画面の解像度は、通常の画面のそれより低い、
ルーティングデバイス。
【請求項８】
請求項７に記載のルーティングデバイスであって：
前記分析モジュールは、前記ルーティングデバイスに接続された前記ディスプレイの画面解像度を取得するように構成され、前記画面解像度が予め設定された解像度よりも低い場合、前記ディスプレイは、前記第１のタイプの前記ディスプレイであり、それ以外の場合は、前記ディスプレイは、第２のタイプのディスプレイであり；
又は、
前記分析モジュールは、前記ルーティングデバイスに接続された前記ディスプレイのハードウェアプラットフォーム情報を取得し、かつ前記ハードウェアプラットフォーム情報を予め格納された小さい画面のディスプレイ情報セットと比較するように構成され、前記ハードウェアプラットフォーム情報が前記予め格納された小さい画面ディスプレイ情報セットに属する場合、前記ディスプレイは、前記第１のタイプの前記ディスプレイであり、それ以外の場合は、前記ディスプレイは、第２のタイプのディスプレイである、
ルーティングデバイス。
【請求項９】
請求項７、又は８に記載のルーティングデバイスであって：
前記通常のページ及び前記単純化されたページを格納するように構成された、格納モジュールであって、前記通常のページ及び前記単純化されたページの両者は、ルートコンフィギュレーションページを有し、前記単純化されたページは、前記通常のページより少ないコンテンツを表示する、格納モジュール、を更に有する、ルーティングデバイス。
【請求項１０】
請求項７ないし９のいずれか１項に記載のルーティングデバイスであって；
前記分析モジュールが分析によって、前記ディスプレイが第２のタイプのディスプレイであることを発見した場合、予め格納された通常のページを、前記ブラウザに表示するために提供するように構成された、通常表示モジュール、を更に有するルーティングデバイス。
【国際調査報告】
2013515986.tif 000009
2013515986.tif 000010
2013515986.tif 000011
2013515986.tif 000012
2013515986.tif 000013
2013515986.tif 000014